(57)【要約】【課題】腕時計の日付を表す数字の２桁を別々の表示具に設けた数字で見やすくし、十位の数字が衝撃などで誤って移動しないようにする。【解決手段】１日ごとに日付を移動させるクラウン・ホイール１４にスタッド（２２−２５）を設け、さらに、十位を表示する第２のインジケータ１０にかみ合う中間ホイールとピニオン１８を設け、それをスタッドで駆動させるようにするとともに、そのホイールとピニオンを同軸に３段に重ねた４８，５２，４９の部材で構成させ、ホイールとピニオンが駆動させられていないときにはそのプレート５２のチップ５３，５４をクラウン・ホイールの縁５５に係合させ、駆動させられているときにはリセス５６でチップが通過できるようにした。【選択図】図４
2008134266.tif 000002
【特許請求の範囲】
【請求項１】
文字盤（３）上を動く時間インジケータ針（２、４、５）と、日付の１の位（１１）および１０の位（１２）をそれぞれ示す数字が付けられた、第１のインジケータ（９）および第２のインジケータ（１０）で構成される日付（６）とを含む時計（１）であって、この日付が、前記文字盤に作られた大きい開口（１３）を通して現れ、前記日付が、１日につき１ステップの割合で３１日で１回転する日付クラウン・ホイール（１４）によって駆動され、このクラウン・ホイールは、３１日の終わりを除いて、毎日の終わりに１ステップずつ前記第１のインジケータ（９）を駆動するようになっており、さらに月の９日、１９日、２９日、および３１日の終わりに前記第２のインジケータ（１０）を駆動させる手段を備えており、第１の機構部（１７）が、前記クラウン・ホイール（１４）と前記第１のインジケータ（９）との間に挿入され、第２の機構部（１８）が、前記クラウン・ホイール（１４）と前記第２のインジケータ（１０）との間に挿入され、これら第１および第２の機構部双方が、それぞれ、前記クラウン・ホイールから対応するインジケータを回転させるための、および前記クラウン・ホイールによって駆動されていないときに前記第１および第２のインジケータを積極的にロックするための手段を備え、
複数のスタッド（２２，２３，２４，２５）が前記第２の機構部（１８）を動作させるために前記クラウン・ホイールに配置され、その第２の機構部は第２のインジケータにかみ合う中間ホイールおよびピニオンの形態であり、その中間ホイールおよびピニオンが、それが駆動されていないときに回転するのを防止するボルト（５２）を含み、そのボルトは、チップを備えるとともに前記中間ホイールおよびピニオン（１８）に同軸に固定されたプレートであり、そのプレートの隣接する２つのチップ（５３，５４）は、前記中間ホイールおよびピニオンが駆動されていないときに前記クラウン・ホイール（１４）の縁部（５５）に係合し、その縁部は前記中間ホイールおよびピニオンが駆動されているときに前記チップが通過するリセス（５６）を有することを特徴とする時計。
【請求項２】
前記日付クラウン・ホイール（１４）が、月の９日、１９日、２９日、および３１日の終わりに、前記第２の機構部を回転駆動するように構成された４個のスタッド（２２、２３、２４、２５）を担持することを特徴とする請求項１に記載の時計。
【請求項３】
前記中間ホイールおよびピニオン（１８）が、前記日付クラウン・ホイール（１４）の前記スタッド（２２、２３、２４、２５）によって前方に移動されるように構成された第１のホイール（４８）と、前記第１のホイール（４８）と同軸に取り付けられおよび前記第１のホイール（４８）に取り付けられた第２のホイール（４９）とを含み、この第２のホイール（４９）は、歯（５１）が備えられたプレート（５０）とかみ合い、このプレートが、前記日付の１０の位を示す数字（１２）が付けられた前記第２のインジケータ（１０）を担持することを特徴とする請求項１に記載の時計。
【発明の詳細な説明】
【技術分野】
【０００１】
本発明は、文字盤上を移動する針と、それぞれ日付の１の位の数と１０の位の数とを示す数字が付けられた第１および第２のインジケータで構成された日付とを含む時計に関する。この日付は、文字盤内に作られた大きい開口を通して現れる。前記日付は、１日につき１ステップの割合で、３１日で１回転する日付クラウン・ホイールによって駆動される。このクラウン・ホイールは、駆動されないとき３１日の終わりを除いて、毎日の終わりに１ステップずつ第１のインジケータを駆動し、月の９日、１９日、２９日、３１日の終わりに第２のインジケータを駆動するように構成されている。各第１および第２のインジケータは、それらが駆動されないとき、それらを決められた角度位置に維持することを可能にする装置に取り付けられる。
【背景技術】
【０００２】
上の一般的な記載に対応する大きい開口を備える時計は、すでに提案されている。この時計は、各日の終わりに１ステップの割合で、３１日で１回転するように構成された日付クラウン・ホイールを含む。このクラウン・ホイールは、２つの個別の歯部分を含む。
【０００３】
第１の歯部分は、クラウン・ホイール周囲の３１分の１の部分の３０個分の部分を占め、セクタにわたって均一に分散された３０個のアクティブな歯を含み、この周囲の３１個の部分のうち１個の部分には歯が無い。この第１の歯部分は、上に１の位の数が付けられたディスクを担持する、第１のスター・ホイールとかみ合う。クラウン・ホイールの歯の無いセクタが、スター・ホイールの前面にあるときに、このディスクが駆動されないことが分かる。このように、この駆動されないことが、月の３１日と次の月の１日との間で発生するように構成されている。したがって、１の単位の数のディスクは、２つの連続する日で、すなわち終了する月の３１日と始まる月の１日とで数字１を表示する。
【０００４】
第２の歯部分は、４個のアクティブな歯を担持する。この第２の歯部分は、上に１０の位の日付が付けられたディスクを担持している第２のスター・ホイールとかみ合う。これらの４個のアクティブな歯は、クラウン・ホイールの周囲に配置され、この１０の位のディスクを、月の９日、１９日、２９日、および３１日の終わりに１ステップずつ駆動させ、したがって、１０の位のディスクは、それぞれ１、２、３、および０を表示する。
【０００５】
１の位のディスクおよび１０の位のディスクは、並んで配置され、これらのディスクが担持する数字は、文字盤に作られ、６時の位置すなわち時計の正午の線に配置される大きい開口に現れる。これのディスクが、その最後の位置にあるときに、各ディスクの数字を正しく指し示すために、対応するスター・ホイールの各歯に作用するジャンパー・スプリングが設けられる。これらのジャンパー・スプリングは、システムがその静止位置にあるときに、当該ディスクの定められた角度位置を可能する。
【０００６】
ディスクの直径が小さいため、ジャンパー・スプリングが、各スター・ホイールに及ぼす圧力は、時計に加えられる衝撃の場合でも、ディスクを適所に保持するために高くないものでなければならない。
【０００７】
しかしながら、日付を時計の３時の場所、またはこの点の周り（例えば、１時と７時との間）に配置することを望むとき、上記で提案された構成は適しておらず、時計の周辺の領域を覆っているリングの形状を有する少なくとも１つの大きい直径のインジケータを使用しなければならない。好ましい構成は、互いに対して同心に配置された大きい直径の移動する２つの部分を使用することにある。
【０００８】
この場合、上記で提案された簡単なジャンパー・スプリングが、通常の使用においてそれらに予想される機能を適切に満たすなら、衝撃が時計に加えられるとき、完全に不十分である。なぜなら、そのような状況において、インジケータの大きいサイズのために、そのインジケータは、前方または後方に偶然におよびランダムに動くことができ、これらのインジケータ間に存在しなければならない同期がこわれる可能性がある。通常のステムによる日付訂正では、これを訂正することができない。時計は、それから、失われた同期を再設定するために開かれなければならない。
【発明の開示】
【発明が解決しようとする課題】
【０００９】
この欠点を解決するために、当然ジャンパー・スプリングによってインジケータに及ぼされる圧力を増やすことができる。しかしながら、そのような処置は、時計の部材へ、モータによってもたらされるトルクを著しく増加させる作用を有しており、作動自律性が大きく低減される。
【課題を解決するための手段】
【００１０】
本発明は、存在する機構に作用するロック・システムを提案することによって、この欠点の改善方法を見出し、これのロックは、エネルギーを全くまたはほとんど消費しないが、時計のムーブメントによって通常のように駆動されないとき、日付インジケータをロックする。
【００１１】
このため、本発明の時計は、文字盤上を動く時間インジケータ針と、日付の１の位および１０の位をそれぞれ示す数字が付けられた、第１のインジケータおよび第２のインジケータで構成される日付とを含む時計であって、この日付が、前記文字盤に作られた大きい開口を通して現れ、前記日付が、１日につき１ステップの割合で３１日で１回転する日付クラウン・ホイールによって駆動され、このクラウン・ホイールが、駆動されないとき、３１日の終わりを除いて毎日の終わりに１ステップずつ前記第１のインジケータを駆動し、月の９日、１９日、２９日、および３１日の終わりに前記第２のインジケータを駆動するように構成され、前記第１のインジケータおよび前記第２のインジケータがそれぞれ、駆動されないとき、定められた角度位置を維持することを可能にする装置を備え、さらに、第１の機構部が、クラウン・ホイールと前記第１のインジケータとの間に挿入され、第２の機構部が、前記クラウン・ホイールと前記第２のインジケータとの間に挿入され、これら第１および第２の機構部がそれぞれ、前記クラウン・ホイールから対応するインジケータを両方とも回転させるための、および前記クラウン・ホイールによって駆動されないとき前記第１および第２のインジケータをロックするための手段を備えることを特徴とする。
【００１２】
本発明は、実施形態の例によって与えられる添付の図面に示される以下の説明により、より詳細に説明される。
【発明を実施するための最良の形態】
【００１３】
図１は、本発明による時計１の平面図を示す。この時計は、文字盤３上を動く時間を示す針２、４、および５と、月の日付を表示する日付６とを含む。日付は、それぞれ日付の１の位１１と１０の位１２とを示す数字が付けられた第１のインジケータ９と第２のインジケータ１０から形成され、数字は、文字盤３に作られた大きい開口１３を通して現れる。
【００１４】
以下の図から明らかなように、日付、すなわちインジケータ９および１０が形成する日付は、時計のムーブメントによって作動されるフィンガ２０を介して、１日につき１ステップの割合で３１日間で１回転する日付クラウン・ホイール１４によって駆動され、このフィンガは、クラウン・ホイールの内側歯部分とかみ合う。この歯部分は、３１個の歯１９で形成される。
【００１５】
クラウン・ホイール１４は、駆動されない３１日の終わりを除いて、毎日の終わりに１日につき１ステップ、第１のインジケータ９を駆動するように構成されている。この同じクラウン１４が、月の９日、１９日、２９日、および３１日の終わりに、第２のインジケータ１０を駆動するように構成されている。インジケータが駆動される方法は、以下より詳細に説明する。
【００１６】
通常の場合、図２、３、４、および５が示すように、第１のインジケータ９および第２のインジケータ１０は、それらが駆動されていないとき、定められた角度位置にそれらを保持することを可能にする、それぞれ参照符号１５および１６が付けられた装置をそれぞれ備える。
【００１７】
図２および３で明らかなように、本発明は、第１の機構部１７が、クラウン・ホイール１４と第１のインジケータ９との間に挿入されている。この第１の機構部は、クラウン・ホイール１４によって第１のインジケータ９を回転し、および駆動されないとき前記インジケータをロックするための手段を備えることを特徴とする。
【００１８】
同様に、図４および図５で明らかなように、本発明は、第２の機構部１８が、クラウン・ホイール１４と第２のインジケータ１０との間に挿入されている。この第２の機構部は、クラウン・ホイール１４から第２のインジケータ１０を回転し、および駆動されないとき前記インジケータをロックするための手段を備えることを特徴とする。
【００１９】
日付クラウン・ホイール１４とそれぞれ第１のインジケータおよび第２のインジケータとの間に挿入された第１および第２の機構部の好ましい実施形態例を以下により正確に説明する。第１の機構部１７を駆動するためのリング２１が、クラウン・ホイール１４に取り付けられていることが、まず第１に注目される（より詳細には図７の断面を参照）。複数のスタッド２２〜２５が、クラウン・ホイール１４に固定されていることも分かり（図６の右側部分）、図７には１つのスタッド２２だけが示され、図４および５には他のスタッドが見え、これらのスタッドは、第２の機構部１８を動かすように構成される。１の位および１０の位のインジケータを駆動し、ロックする方法を続けて説明する。
【００２０】
１の位のインジケータの駆動およびロック
ここで、図２、３、６、および７を参照する。クラウン・ホイール１４によって担持されるリング２１の外側縁部２６は、リングの周囲の１／３１の部分の３０個の部分を占めるセクタにわたって均一に配分された、特定の３０個の歯２７を含む。各歯の前には、急なランプ２９を有するフランクがあり、その後にはなだらかなランプ２８を有するフランクがあり、１つの歯が省略された外側カムを形成する（図４および５における参照符号６０を参照）。
【００２１】
第１の機構部１７は、ムーブメントのプレートに取り付けられたシャフト３１で回転するレバー３０で形成される。このレバーの第１の端部３２は、レバーに作用するリターン・スプリング３５の作用を介して、リング２１の外側縁部２６にあてがわれる第１のピン３４が取り付けられている。リング２１が回転駆動されるとき、ピン３４は、カムに対してスライドするフィンガのように、リングの外側の縁部２６をたどる。それによって、レバー３０は前後に動かされ、その動きが発生しない３１日の終わりを除いて、月の全ての日の終わりにこの動きが生じる。ピンは、その後、歯のない経路（前述において参照符号６０で参照された）をたどる。前後の動きはレバー３０の第２の端部３３へ伝えられる。レバー３０の第２の端部３３は、備えられた第１のビーク３６を介して、ホイール３７を回転駆動する。このホイールは第１のインジケータ９を駆動するように構成されている。
【００２２】
図２および３も、レバー３０の第１の端部３２が、リング２１の内側縁部３９をたどるように構成された第２のピン３８を備えているのが示されている。この内側縁部３９も、歯キャビティ（図２、３、および４における参照符号６１を参照）を欠いた内側カムを形成する、リングの周囲の１／３１の部分の３０個分の部分を占めるセクタにわたって均一に配分された３０個の特定の歯４０を担持する。内側カムの方向は、歯キャビティを有さないそのセクタ６１が、外側カムに歯がないセクタ６０と対向して配置されるように構成される。さらに、第１のピン３４および第２のピン３８と、リング２１の外側縁部２６に配置された歯２７および内側縁部３９に配置された歯４０とは、リングが駆動されないとき、第１のピン３４が、リングの外側縁部の１つの歯４１の急なランプ２９の底部に配置され、一方、第２のピン３８が、リングの内側縁部の１つの歯４２の頂上に実質的に位置されるように構成される。この状態が、図２に示されている。これらの状況において、レバー３０はロックされ、時計に衝撃が加えられても、レバー３０が偶然にホイール３７、したがって第１のインジケータ９を動かすことはできない。
【００２３】
レバー３０の第１のビーク３６と第１のインジケータ９との間に配置されたホイール３７は、第１のビーク３６によって回転駆動されるように輪郭形成されたスター・ホイール４３を含む。ホイール３７は、スター・ホイール４３と同軸に取り付けられ、スター・ホイール４３に取り付けられたピニオン４４も含む。ピニオン４４は、内側歯部分４６が備えられたクラウン・ホイール４５とかみ合う。このクラウン・ホイール４５は、日付の１の位を示す数字１１が付けられた第１のインジケータ９を担持する。
【００２４】
結局、図２および３は、レバー３０が、クラウン・ホイール４５の歯部分４６と協働するように構成された第２のビーク４７を含む装置１５を備えることを示す。第１のインジケータ９が駆動されないとき、装置１５は、まず第１のインジケータ９の定められた角度位置を、次にそれらの固定を確実にする。この状況が、２つの歯６２および６３とクラウン・ホイール４５の歯部分４６との間に挿入された、第２のビーク４７を示す図２で説明される。装置１５が２つの目的を有することが、ここで理解されるであろう。その２つの目的は、まず第一に１の位のインジケータ９を指し示すことであり、次に、時計が衝撃を受けたなら、インジケータ９が偶然に回転することを防ぐために、それを確実にロックすることである。
【００２５】
図３は、駆動の開始時の１の位のインジケータ９を示す。時計のムーブメントによって駆動されるフィンガ２０は、日付クラウン・ホイール１４の歯１９の駆動を開始し、日付クラウン・ホイール１４の歯１９は、矢印Ａで参照される時計方向に結合されるリング２１を回転させる。レバー３０のピン３４は、矢印Ｂの方向にレバーを動かすリング２１の歯４１の急なフランク上にのる。レバー３０の第１のビーク３６は、スター・ホイール４３と接触し、矢印Ｅで参照される反時計方向にスター・ホイール４３を回転させるために、そのフランクの１つに沿ってスライドする。スター・ホイール４３と結合されるピニオン４４のウイング６４は、クラウン・ホイール４５の歯４６と接触し、クラウン・ホイール４５の歯４６は、矢印Ｆで参照される反時計方向に回転を始め、同じ方向にクラウン・ホイール４５に結合されるインジケータ９を駆動する。その間に、レバー３０の第２のビーク４７は、１の位のインジケータが完全に自由に１ステップずつ進ませるようにクラウン・ホイール４５の歯６２および６３から開放される。
【００２６】
スター・ホイール４３、ピニオン４４、およびクラウン・ホイール４５の歯部分４６間のギア比は、１の位のインジケータ９に付けられた数字１１が、２０の数で、すなわち０から９の１０個の数の２続きであるように選択されることが観察される。
【００２７】
１０の位のインジケータの駆動およびロック
この説明を、図４、５および６を参照して行う。日付クラウン・ホイール１４は、４個のスタッド２２、２３、２４、および２５を担持する。これらのスタッドは、クラウン・ホイール１４上にリング２１を固定するための手段としても使用される。これらのスタッドは、月の９日、１９日、２９日、および３１日の終わりに第２の機構部１８を回転駆動するように、クラウン・ホイール１４上に配置され、および駆動できるように角度的に備えられる。第２の機構部は、一方では４個のスタッド２２から２５の１つによって駆動され、他方では第２の１０の位のインジケータ１０とかみ合うように配置された、中間ホイールおよびピニオン１８の形態をとる。
【００２８】
中間ホイールおよびピニオン１８は、日付クラウン・ホイール１４のスタッド２２から２５によって前方に回転移動されるように構成された第１のホイール４８と、第１のホイール４８と同軸でありおよび第１のホイール４８に取り付けられた第２のホイール４９とを含む。第２のホイール４９は、歯５１が備えられたプレート５０とかみ合う。プレート５０は、日付の１０の位を示す数字１２が取り付けられた第２のインジケータ１０を担持する。図４から６は、中間ホイールおよびピニオン１８が日付クラウン・ホイール１４の１つのスタッド２２から２５によって駆動されないとき、中間ホイールおよびピニオン１８が、前記中間ホイールおよびピニオンを回転させず、したがってそれらに接続されたプレート５０も回転させないボルト５２を含むことも示す。このボルトの主たる目的は、１０の位のインジケータ１０をブロックし、したがって時計が衝撃を受けたときに、偶然に動くことを防ぐことである。
【００２９】
いくつかのボルト形状が、機構部のブロックに関して予想される。六角形の切り取り部分を有するプレート５２が、ここで使用され、中間ホイールおよびピニオンと同軸に、それらに固く固定される。ホイールおよびピニオン１８がピン２２によって駆動されないとき、図４は、プレート５２の２つの隣接するチップ５３および５４が、クラウン・ホイール１４の縁部５５に対して衝合することを示している。逆に、ホイールおよびピニオン１８がピン２２によって駆動されるとき、プレート５２のチップ５４は、図５に示されるように、クラウン・ホイールの縁部５５に作られたリセス５６内を通過することができる。図５に示されるこの状況は、月の２９日から３０日への経過を示す。クラウン・ホイール１４上のスタッドと同じ数のリセス５６が存在することは理解されよう。スタッド２５に対向して配置された次のリセス５６は、次の月の３１日から１日への経過の間、ホイールおよびピニオン１８がロックされないことを可能にするであろう。
【００３０】
上記段落で既に述べたように、および図５に示されるように、時計のムーブメントによって駆動されるフィンガ２０は、矢印Ａで参照される時計方向に結合されたスタッド２２から２５とともに回転する日付クラウン・ホイール１４の歯１９を駆動し始める。スタッド２２は、第１のホイール４８を駆動し、次に第１のホイール４８に接続された第２のホイール４９を、矢印Ｍの方向に駆動し、この第２のホイールは、次に第２のホイールに結合されたプレート５０およびインジケータ１０を、それぞれ矢印ＮおよびＰで参照される反時計方向に駆動する。１０の位の数字が、変化が３である前に開口に現れる（図４）。変化の間（図５）、開口に現れる１０の位の数字は、開口が３時の場所に配置されるなら、３の数字の終わりおよび０の数字の始まりである。
【００３１】
ホイール４８、ホイール４９、およびプレート５０の間のギア比は、１０の位のインジケータ１０に付けられた数字１２が、１２個であり、すなわち０から３までの４個の数字の３つの連続であるように選択されることが分かる。したがって、インジケータ１０は、３ヵ月で１回転する。
【００３２】
第２のインジケータ１０が、駆動されないとき、定められた角度位置にそれを維持させる装置１６を備えることは、前記で述べた。図４および５が示すように、この装置は、プレート５０の下に取り付けられたホイール５７で形成され、このホイールは、ジャンパー・スプリング５９が作用する歯５８を有し、そのようなスプリングの示された形状は、単なる実施形態の一例である。
【００３３】
最終まとめ
日付クラウン・ホイール１４と各１の位のインジケータ９および１０の位のインジケータ１０との間の、それぞれ独自の機構部１７および１８を含むことに加えて、説明された大きい日付開口は、時計が受ける可能性がある様々な衝撃に対するその感受性に関して提供する安全性を特徴とする。この感受性が無いことが、ボルトが駆動されないとき、機構部をロックする結果としてのボルトを確実にする。これらのボルトは、有利には、示されたような大量のエネルギーを消費するジャンパー・スプリングを置き換える。説明されたボルトは、ジャンパー・スプリングのような弾性手段ではない、機構部をブロックするための確実な手段であり、正確にインジケータを指し示すのには確実に有効であるが（１０の位のインジケータ１０を指し示すジャンパー・スプリング５９を参照）、時計に及ぼされる衝撃のために、偶然の動きを防止するのには力不足である。
【図面の簡単な説明】
【００３４】
【図１】本発明による、日付の１の位のインジケータおよび１０の位のインジケータが現れる大きい開口を含む、カレンダー・ウォッチの外観を示す図である。
【図２】１の位のインジケータがロックされている段階における、１の位のインジケータの駆動機構部を示す図である。
【図３】１の位のインジケータが駆動されている段階における、１の位のインジケータの駆動機構部を示す図である。
【図４】ロック段階の終わりにおける１０の位のインジケータの駆動機構部を示す図である。
【図５】駆動段階における１０の位のインジケータの駆動機構部を示す図である。
【図６】図３の線ＶＩａ−ＶＩａに沿った断面を左側に、図５の線ＶＩｂ−ＶＩｂに沿った断面を右側に示す図である。
【図７】図２の線ＶＩＩ−ＶＩＩに沿った断面を示す図である。
【符号の説明】
【００３５】
１  時計
２、４、５  針
３  文字盤
６  日付
９  第１のインジケータ
１０  第２のインジケータ
１１  日付の１の位
１２  日付の１０の位
１３  開口
１４、４５  クラウン・ホイール
１５  装置
１７  第１の機構部
１８  第２の機構部
１９、２７、４０、４１、４２、４６、６２、６３  歯
２０  フィンガ
２１  リング
２２、２３、２４、２５  スタッド
２６  外側縁部
２８  なだらかなランプ
２９  急なランプ
３０  レバー
３１  シャフト
３２  第１の端部
３３  第２の端部
３４  第１のピン
３５  リターン・スプリング
３６  第１のビーク
３７、４５  ホイール
３８  第２のピン
３９  内側縁部
４３  スター・ホイール
４４  ピニオン
４６  内側歯部分
４７  第２のビーク
４８  第１のホイール
４９  第２のホイール
５０  プレート
５２  ボルト
５３、５４  チップ
５５  縁部
５６  リセス
６１  セクタ
６４  ウイング
【図１】
2008134266.tif 000003
【図２】
2008134266.tif 000004
【図３】
2008134266.tif 000005
【図４】
2008134266.tif 000006
【図５】
2008134266.tif 000007
【図６】
2008134266.tif 000008
【図７】
2008134266.tif 000009